(57)【特許請求の範囲】
【請求項１】
電池と、
前記電池に直列に接続され前記電池に充電電流を供給する充電電流供給手段と、
前記電池に対応して設けられ前記電池の端子電圧が前記電池の充電完了電圧を超えないように前記充電電流のうち前記電池の充電に使用しない電流をバイパス電流としてバイパスするバイパス手段とを有し、
前記充電電流供給手段は、
前記バイパス手段がバイパス可能な電流の最大値である許容バイパス電流値を記憶する記憶手段と、
電源から流入する流入電流の電流値が、前記記憶手段が記憶している前記許容バイパス電流値よりも大きいか否かを判定する判定手段と、
前記流入電流の電流値が前記許容バイパス電流値よりも大きいと前記判定手段が判定した場合に前記流入電流の電流値を前記許容バイパス電流値まで低減して前記電池に充電電流として供給する充電電流低減手段と、
を有することを特徴とする電池管理装置。
【請求項２】
前記電池に直列に接続されるスイッチと、
前記電池の端子電圧を計測する端子電圧計測手段と、
前記端子電圧計測手段が計測した端子電圧が前記電池の過充電電圧又は過放電電圧に達している場合に前記スイッチを開放する制御手段と、
を有することを特徴とする請求項１に記載の電池管理装置。
【請求項３】
電池に直列に接続された充電電流供給手段により、前記電池に充電電流を供給する第１のステップと、
前記電池に対応して設けられているバイパス手段により、前記電池の端子電圧が前記電池の充電完了電圧を超えないように前記充電電流のうち前記電池の充電に使用しない電流をバイパス電流としてバイパスする第２のステップと、
を有し、
前記第１のステップは、
前記バイパス手段によりバイパス可能な電流の最大値である許容バイパス電流値を、記憶手段に記憶させる第３のステップと、
電源から流入する流入電流の電流値が前記記憶手段に記憶されている前記許容バイパス電流値よりも大きいか否かを、判定手段により判定する第４のステップと、
前記流入電流の電流値が前記許容バイパス電流値よりも大きいと前記判定手段が判定した場合に、充電電流低減手段により前記流入電流の電流値を前記許容バイパス電流値まで低減して前記電池に充電電流として供給する第５のステップと、
を含むことを特徴とする電池管理方法。
【発明の詳細な説明】
【技術分野】
【０００１】
本発明は、電池管理装置及び電池管理方法、特に複数の二次電池が直列に接続された組電池を管理するための電池管理装置及び電池管理方法に関する。
【背景技術】
【０００２】
繰り返して充電や放電を行うことができる二次電池を直列に接続して使用する場合、全ての二次電池の電池容量あるいは内部抵抗が常に同じであれば、各二次電池をバランス良く充電することができる。しかしながら、実際には、各二次電池の電池容量あるいは内部抵抗には若干のバラツキが存在する。また、初期において同じ内部抵抗であったとしてもトリクル充電又はフロート充電により、時間が経過していくと二次電池の内部特性が変化し、二次電池の電池容量も変化する。その結果、各二次電池間の充電特性のバランスが崩れ、充電時の二次電池の電圧にバラツキが生じ、二次電池の寿命や性能が低下するという問題がある。この問題を解決するための技術として図９に示す電池管理システムが知られている。
【０００３】
図９は、従来から知られている電池管理システム１００の概略構成図である。この電池管理システム１００では、組電池１を構成する二次電池１ａ〜１ｎ間の電圧のバラツキを抑制するために、シャントレギュレータを用いた電圧調整部５０ａ〜５０ｎを各二次電池１ａ〜１ｎにそれぞれ取付けている。この電圧調整部５０ａ〜５０ｎは、充電時の二次電池１ａ〜１ｎの電圧を計測し、二次電池１ａ〜１ｎの端子電圧が充電完了電圧になった場合に、制御部５１の制御に基づいて、直流電源部２から組電池１に供給される充電電流を、二次電池１ａ〜１ｎと並列に接続されたバイパス回路でバイパスすることにより、二次電池１ａ〜１ｎの端子電圧の上昇を抑えている。直流電源部２から組電池１に供給される充電電流は、二次電池１ａ〜１ｎに蓄電される。二次電池１ａ〜１ｎに蓄電された電力は、直流電源部２の停電時などに負荷４に供給される。
【０００４】
図１０は、電池管理システム１００（図９）における充電時の二次電池の特性変化を示すグラフである。図１０では、横軸に時間をとり、縦軸に電圧（Ｖ）及び電流（ＣＡ）をとっている。図１０は、放電後の組電池１を定電流・定電圧充電方式で充電した際の充電特性を示している。曲線ｇ１ａ、ｇ１ｂ、ｇ１ｎは、それぞれ二次電池１ａ、１ｂ、１ｎの端子電圧の変化を示している。なお、ここでは、二次電池１ａ、１ｂ、１ｎの端子電圧の変化を表す曲線ｇ１ａ、ｇ１ｂ、ｇ１ｎのみを図示している。時刻ｔ１１、ｔ１２、ｔ１ｎは、それぞれ二次電池１ａ、１ｂ、１ｎのバイパス回路において充電電流のバイパスを開始する時刻である。
曲線ｇ２１は、曲線ｇ１ａ〜ｇ１ｎの端子電圧を加算したものであり、組電池１の端子電圧の変化を示している。組電池１の端子電圧が曲線ｇ２１で示したように変化すると、組電池１に流れる充電電流は曲線ｇ２２のように変化する。
【０００５】
制御部５１は、直流電源部２が組電池１に供給する充電電流によって、二次電池１ａ〜１ｎのいずれかの二次電池の電圧が充電完了電圧（ここでは、４．１（Ｖ））に到達すると、その二次電池に並列に接続されている電圧調整部５０ａ〜５０ｎを動作させ、バイパス回路に充電電流をバイパスさせる。そしてその後、その他の二次電池が充電完了電圧に到達するとそれらの二次電池の電圧調整部を動作させて充電電流をバイパスさせ、二次電池の端子電圧の上昇を抑える。このようにして、二次電池１ａ〜１ｎの各端子電圧にバラツキが生じるのを防いでいる。
【０００６】
しかしながら、図９及び図１０で説明した電池管理システム１００では、各二次電池１ａ〜１ｎに電圧調整部５０ａ〜５０ｎを接続し、二次電池１ａ〜１ｎの端子電圧を検出し、その検出結果に基づいて、充電電流をバイパスさせている。このシステムでは、定電流・定電圧方式の充電において組電池１の全体の電圧が、予め設定された定電圧充電モードに切り替わる所定の電圧（充電器の充電モードが、定電流から定電圧モードに切り換わる電圧）に到達する時刻（図１０の時刻ｔ１４）の近辺から、充電電流のバイパス動作が開始される。この結果、二次電池１ａ〜１ｎの状態によっては、充電モードが切り換わる時刻ｔ１４近辺に流れる大きな電流が電圧調整部５０ａ〜５０ｎ側に流れることになる。そのため、電圧調整部５０ａ〜５０ｎの製造にあたって、このような大きなバイパス電流に備えてバイパス回路の素子を選択する必要があり、さらに、電流のバイパス時における発熱防止のために大きな放熱器が必要となるため、電圧調整部５０ａ〜５０ｎが大型化するという問題があった。この問題を解決するために、図１１に示す電池管理システム２００が知られている。
【０００７】
図１１は、従来から知られている電池管理システム２００の概略構成図である。この電池管理システム２００では、直流電源部２から二次電池６０ａ〜６０ｎに供給される充電電流が、予め設定された電流値以下となるように調整する充電電流設定部６０ａ〜６０ｎを設けている。また、この電池管理システム２００では、直流電源部２から組電池１に供給される充電電流を電流センサ６２により計測し、充電電流が予め設定された電流値まで低下してから、制御部６１の制御に基づいて、各二次電池１ａ〜１ｎに並列に接続されているバイパス回路への充電電流のバイパスを開始している（特許文献１参照）。
【０００８】
図１２は、電池管理システム２００（図１１）における充電時の二次電池の特性変化を示すグラフである。図１２では、横軸に時間をとり、縦軸に電圧（Ｖ）及び電流（ＣＡ）をとっている。図１２は、放電後の組電池１を定電流・定電圧充電方式で充電した際の充電特性を示しており、時刻ｔ２２において定電流モードから定電圧モードに切り替わっている。
曲線ｇ３ａ、ｇ３ｂ、ｇ３ｎは、それぞれ二次電池１ａ、１ｂ、１ｎの端子電圧の変化を示している。なお、ここでは、二次電池１ｃ〜１ｍの端子電圧の変化を表す曲線については図示を省略している。曲線ｇ４１は、曲線ｇ３ａ〜ｇ３ｎの端子電圧を加算したものであり、組電池１の端子電圧の変化を示している。組電池１の端子電圧が曲線ｇ４１で示したように変化すると、組電池１に流れる充電電流は曲線ｇ４２のように変化する。
【特許文献１】特許第３７６６０７６号公報
【発明の開示】
【発明が解決しようとする課題】
【０００９】
しかしながら、特許文献１に記載されている技術では、充電電流が予め設定された所定値（図１２では、０．１（ＣＡ））まで低下する時刻であるバイパス開始時刻ｔ２１（図１２）になるまでの間、二次電池の端子電圧が本来バイパスを開始する充電完了電圧を超える恐れがあり、それに伴い、バイパス回路がバイパス可能な電流の最大値である許容バイパス電流値の電流が、バイパス回路に流れることがあり回路が破損等するおそれがあるという問題があった。なお、図１２では、二次電池１ｎの端子電圧の変化を表わす曲線ｇ３ｎが、二次電池の充電完了電圧である４．１（Ｖ）を超えており、二次電池１ｎに並列に接続されたバイパス回路が破損する恐れがある。
【００１０】
本発明は、上記事情に鑑みてなされたものであり、その目的は、電池の充電完了時に流れるバイパス電流によってバイパス回路が破損することを防ぐことができる電池管理装置及び電池管理方法を提供することにある。
【課題を解決するための手段】
【００１１】
本発明は、上記課題を解決するためになされたもので、電池と、前記電池に直列に接続され前記電池に充電電流を供給する充電電流供給手段と、前記電池に対応して設けられ前記電池の端子電圧が前記電池の充電完了電圧を超えないように前記充電電流のうち前記電池の充電に使用しない電流をバイパス電流としてバイパスするバイパス手段とを有し、前記充電電流供給手段は、前記バイパス手段がバイパス可能な電流の最大値である許容バイパス電流値を記憶する記憶手段と、電源から流入する流入電流の電流値が、前記記憶手段が記憶している前記許容バイパス電流値よりも大きいか否かを判定する判定手段と、前記流入電流の電流値が前記許容バイパス電流値よりも大きいと前記判定手段が判定した場合に前記流入電流の電流値を前記許容バイパス電流値まで低減して前記電池に充電電流として供給する充電電流低減手段と、を有することを特徴とする電池管理装置である。
【００１３】
また、本発明の一態様は、前記電池に直列に接続されるスイッチと、前記電池の端子電圧を計測する端子電圧計測手段と、前記端子電圧計測手段が計測した端子電圧が前記電池の過充電電圧又は過放電電圧に達している場合に前記スイッチを開放する制御手段とを有することを特徴とする。
【００１４】
また、本発明は、電池に直列に接続された充電電流供給手段により、前記電池に充電電流を供給する第１のステップと、前記電池に対応して設けられているバイパス手段により、前記電池の端子電圧が前記電池の充電完了電圧を超えないように前記充電電流のうち前記電池の充電に使用しない電流をバイパス電流としてバイパスする第２のステップと、
を有し、前記第１のステップは、前記バイパス手段によりバイパス可能な電流の最大値である許容バイパス電流値を、記憶手段に記憶させる第３のステップと、電源から流入する流入電流の電流値が前記記憶手段に記憶されている前記許容バイパス電流値よりも大きいか否かを、判定手段により判定する第４のステップと、前記流入電流の電流値が前記許容バイパス電流値よりも大きいと前記判定手段が判定した場合に、充電電流低減手段により前記流入電流の電流値を前記許容バイパス電流値まで低減して前記電池に充電電流として供給する第５のステップと、を含むことを特徴とする電池管理方法である。
【発明の効果】
【００１５】
本発明では、電池に充電電流を充電電流供給手段により供給し、電池に設けられるバイパス手段により電池の端子電圧が電池の充電完了電圧を超えないように充電電流のうち電池の充電に使用しない電流をバイパス電流としてバイパスし、許容バイパス電流値を越えないように電池に充電電流を充電電流供給手段により供給するようにした。
これにより、充電電流供給手段が電池に供給する充電電流は、許容バイパス電流値以下となるため、電池の充電完了時にバイパス回路に流れる電流値も許容バイパス電流値以下となり、バイパス回路が破損することを防ぐことができる。
【発明を実施するための最良の形態】
【００１６】
以下、図面を参照し、本発明の実施形態について説明する。
図１は、本発明の実施形態による電池管理装置１０の概略構成図である。この電池管理装置１０は、組電池１、制御部３（制御手段）、電圧調整部５ａ〜５ｎ、電池切離しスイッチ７、充電電流設定部８（充電電流供給手段）を備えている。
【００１７】
図２は、本発明の実施形態による電池管理システム１１の概略構成図である。この電池管理システム１１では、電池管理装置１０（図１）の端子ｐ１に、直流電源部２の一方の端子と負荷４の一方の端子とを接続している。また、電池管理装置１０の端子ｐ２に、直流電源部２の他方の端子と負荷４の他方の端子とを接続している。
直流電源部２は、電池管理装置１０や負荷４に対して、直流電流を供給する。
【００１８】
組電池１は直流電源部２の停電時に無瞬断で負荷４に電力を供給する。組電池１は直列に接続された複数個の二次電池１ａ〜１ｎにより構成されている。ここでは、組電池１が二次電池１ａ〜１ｎにより構成されている場合について説明しているが、組電池１を構成する二次電池の個数はこれに限定されるものではない。
組電池１を構成する二次電池１ａ〜１ｎには、直流電源部２から充電電流設定部８を介して、充電電流が供給される。
各二次電池１ａ〜１ｎには、それぞれシャントレギュレータを用いた電圧調整部５ａ〜５ｎが並列に接続されている。電圧調整部５ａ〜５ｎは、二次電池１ａ〜１ｎの端子電圧や、二次電池１ａ〜１ｎに並列に接続されているバイパス回路を流れるバイパス電流を測定し、それらの端子電圧やバイパス電流の情報を制御部３へ出力する。
【００１９】
図３は、本発明の実施形態による電圧調整部５ａの構成を示す回路図である。なお、電圧調整部５ｂ〜５ｎの構成は、電圧調整部５ａと同様であるので、それらの説明を省略する。電圧調整部５ａは、バイパス電流制御素子３１、バイパス電流制限素子３２、バイパス電流測定素子３３、電池電圧誤差増幅器３４、電池電圧測定用誤差増幅器３５を備えている。バイパス電流制御素子３１、バイパス電流制限素子３２、バイパス電流測定素子３３は、直列接続されており、バイパス回路（バイパス手段）を構成している。このバイパス回路は、二次電池１ａと並列接続されている。
【００２０】
バイパス電流制御素子３１は、トランジスタなどの素子であり、電池電圧誤差増幅器３４から制御信号が入力された場合に、充電電流のうち二次電池１ａの充電に使用しない電流であるバイパス電流をバイパス回路に流れるように制御する。
バイパス電流制限素子３２は、ヒューズなどの素子であり、バイパス回路にバイパス可能な電流の最大値である許容バイパス電流値よりも大きな電流が流れた場合に、バイパス電流制御素子３１とバイパス電流測定素子３３との間を流れる電流を遮断する。
バイパス電流測定素子３３は、充電電流設定部８（図２）から組電池１に供給される充電電流のうち、二次電池１ａの充電に使用されないバイパス電流の電流値を測定し、バイパス電流測定値として制御部３に出力する。
【００２１】
電池電圧誤差増幅器３４は、制御部３から出力される基準電圧値（例えば、４．１（Ｖ））と、電池電圧測定用誤差増幅器３５から出力される二次電池１ａの端子電圧とを比較し、端子電圧が基準電圧値よりも大きい場合には、バイパス電流制御素子３１にバイパス電流を流すことを指示する制御信号を、バイパス電流制御素子３１に出力する。
電池電圧測定用誤差増幅器３５は、二次電池１ａの正極及び負極の電圧値の差から、二次電池１ａの端子電圧を算出し、その端子電圧を制御部３と電池電圧誤差増幅器３４とに出力する。
【００２２】
図４は、本発明の実施形態による充電電流設定部８の構成を示す回路図である。この充電電流設定部８は、マイクロコントローラ９（記憶手段）、充電電流制御素子４１（充電電流低減手段）、充電電流検出素子４２、充電電流制御用誤差増幅器４３（判定手段）、充電電流測定用誤差増幅器４４を備えている。
【００２３】
マイクロコントローラ９は、バイパス回路がバイパス可能な電流の最大値である許容バイパス電流値を記憶している。この許容バイパス電流値は、本実施形態による電池管理システムの管理者等によりマイクロコントローラ９に予め記録される。マイクロコントローラ９は、充電電流制御用誤差増幅器４３に対して許容バイパス電流値を出力する。
充電電流制御素子４１は、トランジスタなどの素子であり、充電電流制御用誤差増幅器４３から出力される信号に基づいて、直流電源部２から流入する流入電流の電流値が、許容バイパス電流値を超えている場合に、流入電流の電流値を許容バイパス電流値まで低下させて、組電池１へと出力する。
【００２４】
充電電流検出素子４２は、抵抗などの素子であり、充電電流設定部８から組電池１へ出力する充電電流の電流値を計測し、その電流値を充電電流測定用誤差増幅器４４に出力する。充電電流制御用誤差増幅器４３は、充電電流測定用誤差増幅器４４から出力される電流値が、制御部３から出力される許容バイパス電流値よりも大きいか否かについて判定する。充電電流制御用誤差増幅器４３は、充電電流測定用誤差増幅器４４から出力される電流値が、制御部３から出力される許容バイパス電流値よりも大きいと判定した場合には、直流電源部２から充電電流設定部８に流入する流入電流の電流値を許容バイパス電流値まで低減させる制御信号を、充電電流制御素子４１に対して出力する。
充電電流測定用誤差増幅器４４は、充電電流検出素子４２に流れる電流値を測定し、その電流値を充電電流制御用誤差増幅器４３に出力する。
【００２５】
図５は、本発明の実施形態による充電電流設定部８の処理を示すフローチャートである。始めに、本実施形態による電池管理システムの管理者等が、マイクロコントローラ９に、バイパス回路がバイパス可能な電流の最大値である許容バイパス電流値を記録する（ステップＳ１１）。
そして、直流電源部２から充電電流設定部８に流入し、充電電流検出素子４２を流れる流入電流の電流値を、充電電流測定用誤差増幅器４４によって計測する（ステップＳ１２）。
そして、充電電流制御用誤差増幅器４３は、ステップＳ１２で計測した流入電流の電流値が、ステップＳ１１で記録した許容バイパス電流値よりも大きいか否かについて判定する（ステップＳ１３）。
流入電流の電流値が許容バイパス電流値よりも大きい場合には、ステップＳ１３で「ＹＥＳ」と判定し、充電電流制御素子４１は流入電流の電流値を許容バイパス電流値まで低減して充電電流として組電池１に供給する（ステップＳ１４）。そして、ステップＳ１２へ進む。
一方、流入電流の電流値が許容バイパス電流値以下である場合には、ステップＳ１３で「ＮＯ」と判定し、充電電流制御素子４１は流入電流を充電電流として組電池１に供給する（ステップＳ１５）。そして、ステップＳ１２へ進む。
【００２６】
図２に戻り、制御部３は、電圧調整部５ａ〜５ｎが出力する各二次電池１ａ〜１ｎの端子電圧が、各二次電池１ａ〜１ｎの過充電電圧よりも大きい場合又は過放電電圧よりも小さい場合に、電池切離しスイッチ７を開放させる。なお、電池管理装置１０に電池切離しスイッチ７は設けなくてもよい。
図２に示したように、電池管理装置１０をモジュール構成とすることにより、負荷４が必要とする電流や、組電池１の電池容量に応じて、電池管理装置１０を増設することが可能である。
【００２７】
次に、本発明の実施形態による電池管理システム１１の動作の一例について説明する。
図６は、電池管理システム１１（図２）における充電時の二次電池の特性変化を示すグラフである。図６では、横軸に時間をとり、縦軸に電圧（Ｖ）及び電流（ＣＡ）をとっている。ここでは、二次電池としてリチウムイオン二次電池を用い、このリチウムイオン電池を放電した後、充電する場合について説明する。曲線ｇ５ａ、ｇ５ｂ、ｇ５ｎは、それぞれ二次電池１ａ、１ｂ、１ｎの端子電圧の特性を表わしている。なお、ここでは、二次電池１ｃ〜１ｍの端子電圧の特性については図示を省略している。曲線ｇ６１は、各二次電池１ａ〜１ｎの端子電圧を合計したものであり、組電池１の端子電圧の特性を表わしている。組電池１の端子電圧の特性が曲線ｇ６１のように変化すると、組電池１を流れる充電電流の特性は曲線ｇ６２のように変化する。なお、曲線ｇ６３は、本実施形態による充電電流設定部８を設けない場合に、組電池１に流れる電流の特性を示している。
時刻ｔ１は二次電池１ｂに接続されているバイパス回路にバイパス電流が流れはじめる時刻を示している。また、時刻ｔ２は二次電池１ａに接続されているバイパス回路にバイパス電流が流れはじめる時刻を示している。また、時刻ｔ３は二次電池１ｎに接続されているバイパス回路にバイパス電流が流れはじめる時刻を示している。
【００２８】
充電電流設定部８を設けない場合には、曲線ｇ６３に示すように組電池１に許容バイパス電流値（ここでは、０．２（ＣＡ））以上の電流（２（ＣＡ））が流れるため、バイパス回路が破壊されるおそれがある。これに対して、本実施形態のように充電電流設定部８を設けた場合には、曲線ｇ６２に示すように組電池１に供給される充電電流の電流値を許容バイパス電流値（０．２（ＣＡ））にすることができるため、バイパス回路が破壊されることを防ぐことができる。
【００２９】
本発明の電池管理システム１１では、組電池１の充電は定電流・定電圧方式により行われる。二次電池一個当たりの充電完了電圧を４．１（Ｖ）とすると、最初、二次電池をｎ個直列接続した組電池１の充電完了電圧はｎ×４．１（Ｖ）に設定されて定電流充電が行われる（定電流充電モード）。充電方式は、定電流・定電圧方式であるので、組電池１の電圧がｎ×４．１（Ｖ）に達すると直流電源部２の出力電流は低減されていく。この充電の進行過程で、次第に組電池１の総電圧（曲線ｇ６１）がｎ×４．１（Ｖ）に接近していくと二次電池の特性のバラツキによって、早めに充電完了電圧に到達する二次電池１ｂが出てくる（図６の時刻ｔ１）。
【００３０】
図７（ａ）〜図７（ｃ）は、組電池を構成する各二次電池の端子電圧の関係を示す図である。図７（ａ）〜図７（ｃ）の横軸は二次電池１ａ〜１ｎを示しており、縦軸は各二次電池１ａ〜１ｎの端子電圧を示している。図７（ａ）は、図６の時刻ｔ１において、二次電池１ｂの端子電圧が充電完了電圧（４．１（Ｖ））に達した状態を示している。
図７（ａ）の状態から更に充電が進行すると、図７（ｂ）に示すように各二次電池の電圧が上昇し、図６の時刻ｔ２において、二次電池５ａの端子電圧が充電完了電圧（４．１（Ｖ））に達する。
図７（ｂ）の状態から更に充電が進行すると、図７（ｃ）に示すように各二次電池の電圧が上昇し、図６の時刻ｔ３において、二次電池５ｎの端子電圧が充電完了電圧（４．１（Ｖ））に達する。
【００３１】
図８（ａ）〜図８（ｃ）は、各二次電池のバイパス回路に流れるバイパス電流の関係を示す図である。図８（ａ）〜図８（ｃ）の横軸は二次電池１ａ〜１ｎを示しており、縦軸は各二次電池１ａ〜１ｎのバイパス回路を流れるバイパス電流の電流値（Ａ）を示している。
図８（ａ）は、二次電池の充電状態が図７（ａ）の場合における各二次電池１ａ、１ｂ、・・・、１ｉ、１ｊ、・・・、１ｌ、１ｎのバイパス回路に流れるバイパス電流の電流値Ｉａ、Ｉｂ、・・・、Ｉｉ、Ｉｊ、・・・、Ｉｌ、Ｉｎを示している。
本実施形態では、充電電流設定部８を設けているため、二次電池（例えば、二次電池１ｎ）を流れるバイパス電流（例えば、Ｉｎ）が、許容バイパス電流値Ｉ１を超えることがなく、二次電池に接続されたバイパス回路が破損することを防ぐことができる。
【００３２】
図８（ｂ）は、二次電池の充電状態が図７（ｂ）の場合における各二次電池１ａ、１ｂ、・・・、１ｉ、１ｊ、・・・、１ｌ、１ｎのバイパス回路に流れるバイパス電流の電流値Ｉａ’、Ｉｂ’、・・・、Ｉｉ’、Ｉｊ’、・・・、Ｉｌ’、Ｉｎ’を示している。
図８（ｃ）は、二次電池の充電状態が図７（ｃ）の場合における各二次電池１ａ、１ｂ、・・・、１ｉ、１ｊ、・・・、１ｌ、１ｎのバイパス回路に流れるバイパス電流の電流値Ｉａ’’、Ｉｂ’’、・・・、Ｉｉ’’、Ｉｊ’’、・・・、Ｉｌ’’、Ｉｎ’’を示している。
【００３３】
なお、具体的な電流値等を示すと、以下のとおりになる。電池容量１００（Ａｈ）、充電電流１００（Ａ）、バイパス回路が破損する電流値１０（Ａ）の場合、上記の許容バイパス電流値は、バイパス回路が破損する電流値の８０〜９０（％）である８（Ａ）〜９（Ａ）となる。従って、充電電流は、開始直後１００（Ａ）流れ、当初はバイパス電流も流れず全て二次電池１ａ〜１ｎの充電に使われる。
この後、定電圧充電モードに近くなるとバイパス電流が流れ始めるが、バイパス回路を流れる最大のバイパス電流が９（Ａ）以下（例えば８（Ａ）の場合）であれば、そのままの電流による充電が進行する。この状態で充電電流が８０（Ａ）とすると、ある二次電池では、バイパス電流が８（Ａ）流れ電池本体の充電に７２（Ａ）使用されていることになる。他の二次電池では、バイパス電流が２（Ａ）であれば、二次電池の充電に７８（Ａ）使用されている。そして、バイパス電流が９（Ａ）を越えると、充電電流設定部８によって、充電電流は７１（Ａ）に低減される。
【００３４】
上述したように本実施形態では、各二次電池が充電完了電圧に到達すると、その都度その二次電池のバイパス回路にバイパス電流を流すことで二次電池の端子電圧の上昇を抑えるようにしたので、二次電池間の端子電圧の不均衡が解消される。また、本実施形態では、充電電流設定部８から組電池１に供給する充電電流が、許容バイパス電流値以下に設定されているとともに、定電流・定電圧充電方式で充電を行っているため、充電電流は許容バイパス電流以上となることなく経時的に減衰していく。従って、各バイパス回路が破壊されることなく、各二次電池の充電を進行させることができる。また、バイパス回路には許容バイパス電流値以上のバイパス電流が流れることがないため、バイパス回路に放熱器等を設ける必要がなくなり、電池管理装置１０を小型化することができる。
なお、二次電池１ａ〜１ｎの種類や許容バイパス電流値については、本実施形態で説明したものに限定されるものではなく、その他の二次電池や許容バイパス電流値を用いることもできる。
【００３５】
なお、以上説明した実施形態において、制御部３、マイクロコントローラ９の機能を実現するためのプログラムをコンピュータ読み取り可能な記録媒体に記録して、この記録媒体に記録されたプログラムをコンピュータシステムに読み込ませ、実行することにより電池管理装置１０の制御を行ってもよい。なお、ここでいう「コンピュータシステム」とは、ＯＳや周辺機器等のハードウェアを含むものとする。
【００３６】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３７】
【図１】本発明の実施形態による電池管理装置１０の概略構成図である。
【図２】本発明の実施形態による電池管理システム１１の概略構成図である。
【図３】本発明の実施形態による電圧調整部５ａの構成を示す回路図である。
【図４】本発明の実施形態による充電電流設定部８の構成を示す回路図である。
【図５】本発明の実施形態による充電電流設定部８の処理を示すフローチャートである。
【図６】電池管理システム１１（図２）における充電時の二次電池の特性変化を示すグラフである。
【図７】組電池を構成する各二次電池の端子電圧の関係を示す図である。
【図８】各二次電池のバイパス回路に流れるバイパス電流の関係を示す図である。
【図９】従来から知られている電池管理システム１００の概略構成図である。
【図１０】電池管理システム１００（図９）における充電時の二次電池の特性変化を示すグラフである。
【図１１】従来から知られている電池管理システム２００の概略構成図である。
【図１２】電池管理システム２００（図１１）における充電時の二次電池の特性変化を示すグラフである。
【符号の説明】
【００３８】
１・・・組電池、１ａ〜１ｎ・・・二次電池、２・・・直流電源部、３・・・制御部、４・・・負荷、５ａ〜５ｎ・・・電圧調整部、７・・・電池切離しスイッチ、８・・・充電電流設定部、９・・・マイクロコントローラ、１０・・・電池管理装置、３１・・・バイパス電流制御素子、３２・・・バイパス電流制限素子、３３・・・バイパス電流測定素子、３４・・・電池電圧誤差増幅器、３５・・・電池電圧測定用誤差増幅器、４１・・・充電電流制御素子、４２・・・充電電流検出素子、４３・・・充電電流制御用誤差増幅器、４４・・・充電電流測定用誤差増幅器、５０ａ〜５０ｎ・・・電圧調整部、５１・・・制御部、６０ａ〜６０ｎ・・・充電電流設定部、６１・・・制御部、６２・・・電流センサ、１００・・・電池管理システム、２００・・・電池管理システム
【図１】
0005306582.tif 000002
【図２】
0005306582.tif 000003
【図３】
0005306582.tif 000004
【図４】
0005306582.tif 000005
【図５】
0005306582.tif 000006
【図６】
0005306582.tif 000007
【図７】
0005306582.tif 000008
【図８】
0005306582.tif 000009
【図９】
0005306582.tif 000010
【図１０】
0005306582.tif 000011
【図１１】
0005306582.tif 000012
【図１２】
0005306582.tif 000013